(57)【要約】      （修正有）【課題】各々が異なる速度で逆方向に回転する二層切り刃を有する、低速で回転する果実絞り器の切削カッターを提供する。【解決手段】軸座１を備え、前記軸座１には主カッター軸２が設けられ、主カッター軸２上側には主カッター３が設けられ、軸座１には副カッター６の駆動用の副カッター軸４も設けられる。主カッター軸２は伝動機構５のギアＡ５１とギアＢ５２を介して副カッター軸４を動かして、副カッター軸４は副カッターを回転させる。副カッター６は、主カッター３の回転方向に対して逆方向に回転する。副カッター６は主カッター３と異なる速度で回転する。【選択図】図３
0003151531.tif 000002
【実用新案登録請求の範囲】
【請求項１】
果実絞り器の切削カッターであって、
軸座と、
前記軸座に設けられた主カッター軸と、
前記主カッター軸の上側に設けられた主カッターと、
副カッターを回転させる、前記軸座に設けられた副カッター軸と、
を備え、
前記主カッター軸は伝動機構によって前記副カッター軸を動かし、
前記副カッター軸は前記副カッターを、前記主カッターと逆方向に、前記主カッターの回転速度と異なる回転速度で回転させる果実絞り器の切削カッター。
【請求項２】
果実絞り器の切削カッターであって、前記伝動機構は、前記主カッター軸の下側に備えられたギアＡと、前記副カッター軸の下側に備えられたギアＢとが互いに噛み込むことを特徴とする請求項１記載の果実絞り器の切削カッター。
【請求項３】
果実絞り器の切削カッターであって、前記伝動機構は、前記主カッター軸の下側に備えられ、外エッジにマグネットブロックＡが嵌め込まれた伝動輪Ａと、前記副カッター軸の下側に備えられ、外エッジに前記マグネットブロックＡと極性が逆であるマグネットブロックＢが嵌め込まれた伝動輪Ｂとを、磁力によって逆方向に回転させることを特徴とする請求項１記載の果実絞り器の切削カッター。
【請求項４】
果実絞り器の切削カッターであって、前記伝動機構は、前記主カッター軸の下側に備えられた伝動輪Ａの外エッジをカバーするゴム層Ａと、前記副カッター軸の下側に備えられた伝動輪Ｂの外エッジをカバーするゴム層Ｂとが接触することを特徴とする請求項１記載の果実絞り器の切削カッター。
【請求項５】
果実絞り器の切削カッターであって、前記副カッター軸の上側にはギアＣを備え、前記主カッター軸の上部には内ギヤ付きの副カッタードラムが設けられ、前記副カッターは前記副カッタードラム外側面に設けられ、前記ギアＣは前記副カッタードラムの内ギヤと噛み込むことを特徴とする請求項１から請求項４の何れかに記載の果実絞り器の切削カッター。
【請求項６】
果実絞り器の切削カッターであって、前記主カッターは、外円に少なくとも３つの切り刃が外向きに伸びる穴付きの円板であり、前記切り刃は、前記円板の平面の延長線と所定の角度を有するように上向きに曲がることを特徴とする請求項１に記載の果実絞り器の切削カッター。
【請求項７】
果実絞り器の切削カッターであって、各々の前記切り刃と前記円板の平面の延長線との間の角度は互いに等しくないことを特徴とする請求項６に記載の果実絞り器の切削カッター。
【請求項８】
果実絞り器の切削カッターであって、前記切り刃の少なくとも一側はのこぎりの歯状であることを特徴とする請求項６または請求項７記載の果実絞り器の切削カッター。
【請求項９】
果実絞り器の切削カッターであって、前記副カッターは長円弧状であることを特徴とする請求項１記載の果実絞り器の切削カッター。
【請求項１０】
果実絞り器の切削カッターであって、前記主カッターは上層に設けられ、前記副カッターは前記主カッターの下に設けられ、前記副カッターの回転速度は前記主カッターの回転速度より遅いことを特徴とする請求項１記載の果実絞り器の切削カッター。
【考案の詳細な説明】
【技術分野】
【０００１】
本実用新案登録は果実絞り器の部品に関し、特に、各々が異なる速度で逆方向に切削する果実絞り器に用いられる切削カッターに関する。
【背景技術】
【０００２】
従来の果実絞り器の切削カッターは、一般的に、主軸に一層又は多層カッターを備え、モーターが主軸を回転させ、カッターがモーターと一緒に高速回転を行い、切削カッター中の果物を切削する目的に達する構成である。このような果実絞り器の切削カッターについて、中国特許文献CN2486289と中国特許文献CN2640367にて公開した果実絞り器のカッターを参照できる。
【０００３】
中国特許文献CN2486289に公開した果実絞り器のカッターについて説明すると、当該カッターは上層切り刃構成、当該上層切り刃構成下側で重ね置いて設けられる下層切り刃構成、及び上層切り刃構成と下層切り刃構成とを重ねて固定するため設けられるシャフトからなる。シャフトは果実絞り器のモーターにより動かされ、カッター全体を回転切削に機能させる。上層切り刃構成の両側の切り刃は少し外に伸びて、平面垂直に切り立つカッティング・エッジがあり、当該カッティング・エッジ高さ範囲以内に対する食物を全て攪拌でき、両側の切り刃のトップ部は、内側向けに回る遮蔽翼があり、取り囲む間隔空間を形成して、それで食物を攪拌する際、内側向けに集中する効果があり、食物を攪拌するプロセスにおいて、外向けに散乱することを防止して、そして高効果・快速の攪拌役割を果たす。
【０００４】
中国特許文献CN2640367に公開した果実絞り器のカッターについて説明すると、当該果実絞り器は台座にコップを備え、当該コップ底部軸にはカッターが設けられ、当該カッターは、当該果実絞り器台座以内に設けられるモーターに接続して、当該カッターは三片六葉状であり、当該カッターには、上切り刃、中切り刃及び下切り刃を備え、当該中切り刃はプレート状であり、当該中切り刃の刃は連続的な円弧状であり、当該上切り刃の両側エッジは、上向きに円弧状で回り、刀のみねから刃まで、内側向きに傾く形状であり、当該下切り刃の両側エッジは下向きに円弧状で回り、刀のみねから刃まで、外側向きに傾く形状である。
本実用新型は果実絞り器の部品に関し、特に向かい合う差速がある果実絞り器に用いられる切削カッターに関する。
【０００５】
前述二部の特許文献に公開した果実絞り器のカッターであって、前者は二層切り刃を用いて、後者は三層切り刃を用いて、二層切り刃又は三層切り刃にも関わらず、同一シャフトに設けられるので、このようなカッターの果実絞り器を用いるなら、ジュース切削コップにおける切り刃高速回転を利用し果肉を粉砕して、更なるジュースとして作られる。果肉は、ジュース切削コップにおいて高速回転で切削され、果肉を切削する同時、切り刃に従い高速で動かして、果肉はジュース切削コップ壁と激しい摩擦を発生して、大量の熱量が出して、それで、ジュースの品質に影響して、特にジュースにおけるビタミンＣを破壊して、又は、ジュースの中に酸化味が出て、ジュースの味に影響をもたらす。
【考案の概要】
【０００６】
本実用新案登録の解決しようとする技術課題は、従来技術の欠陥に鑑み、各々が異なる速度で逆方向に回転する二層切り刃を有する、低速で回転する果実絞り器の切削カッターの提供である。
【０００７】
本実用新案登録の技術提案は、二層切り刃を備えた果実絞り器の切削カッターである。その中一層は主カッターであり、もう一層は副カッターである。主カッターと副カッターとは上下に配置され、主カッターと副カッターとは互いに異なる速度で逆方向に回転する。副カッターの回転速度は主カッターの回転速度より遥かに遅いことを特徴とする果実絞り器の切削カッターを設計する。
【０００８】
本実用新案登録に公開した果実絞り器の切削カッターは、軸座を備え、前記軸座には主カッター軸が設けられる。主カッター軸の上側に主カッターが設けられ、軸座にも副カッターの駆動用の副カッター軸が設けられる。主カッター軸は、伝動機構により副カッター軸を動かして、副カッター軸は副カッターを回転させて、主カッターと副カッターとは互いに異なる速度で逆方向に回転する。
【０００９】
本実用新案登録への改進案として、前述伝動機構は、主カッター軸の下側に備えられたギアＡと、副カッター軸の下側に備えられたギアＢとが互いに噛み込むように設計されることができる。
【００１０】
本実用新案登録へのもう一つ改進案として、前述伝動機構は、主カッター軸の下側に備えられ、外エッジにマグネットブロックＡが嵌め込まれた伝動輪Ａと、副カッター軸の下側に備えられ、外エッジに前記マグネットブロックＡと極性が逆であるマグネットブロックＢが嵌め込まれた伝動輪Ｂとが、磁力によって逆方向に回転するように設計されることができる。
【００１１】
本実用新案登録へのもう一つ改進として、前述伝動機構は、主カッター軸の下側に備えられた伝動輪Ａの外エッジをカバーするゴム層Ａと、前記副カッター軸の下側に備えられた伝動輪Ｂの外エッジをカバーするゴム層Ｂとが接触するように設計されることができる。
【００１２】
副カッター軸の上側にはギアＣを備え、主カッター軸の上部には内ギヤ付きの副カッタードラムが設けられ、副カッターは副カッタードラム外側面に設けられ、ギアＣは前記副カッタードラムの内ギヤと噛み込む。
【００１３】
前記主カッターは、外円に少なくとも３つの切り刃が外向きに伸びる穴付きの円板であり、切り刃は、円板の平面の延長線と所定の角度を有するように上向きに曲がる。
【００１４】
各々の前記切り刃と円板の平面の延長線との間の角度は互いに等しくない。
【００１５】
前記切り刃の少なくとも一側はのこぎりの歯状である。
【００１６】
前記副カッターは長円弧状である。
【００１７】
前記主カッターは上層に設けられ、前記副カッターは前記主カッターの下に設けられ、前記副カッターの回転速度は前記主カッターの回転速度より遅い。
【００１８】
本実用新案登録は、軸座において、副カッター用の副カッター軸が設けられる。主カッター軸は伝動機構により副カッター軸を動かして、副カッター軸は副カッターを回転させる。そして、主カッターと副カッターとは互いに異なる速度で逆方向に回転する。これにより、副カッターの回転速度を大幅に低下させる。このような構成の果実絞り器を用いて切削したジュースは、温度が低い、新鮮保持程度が好い、ビタミンＣ含有量損失が少ない、味が好いとのメリットがある。
【図面の簡単な説明】
【００１９】
【図１】本実用新型実施例の立体構成を示す略図
【図２】図１の正面を示す略図
【図３】図１の断面図構成を示す略図
【図４】図１に示した実施例の利用状態を示す略図
【考案を実施するための形態】
【００２０】
図１から図３を参照しながら、二層切り刃を有する果実絞り器の切削カッターを説明する。二層切り刃の一層は主カッター３であり、もう一層は副カッター６である。主カッター３と副カッター６とは上下に配置される。主カッター３は、副カッター６の回転方向に対して逆方向に回転する。主カッター３と副カッター６とは異なる速度で回転し、副カッター６の回転速度は主カッター３の回転速度より遥かに遅い。
【００２１】
その具体的構成は、軸座１を備え、前記軸座１には主カッター軸２が設けられ、主カッター軸２上側には主カッター３が設けられ、軸座１には副カッター６の駆動用の副カッター軸４も設けられる。主カッター軸２は伝動機構５のギアＡ５１とギアＢ５２を介して副カッター軸４を動かして、副カッター軸４は副カッターを回転させる。副カッター６は、主カッター３の回転方向に対して逆方向に回転する。と副カッター６は主カッター３と異なる速度で回転する。具体的には、伝動機構５は、主カッター軸２の下側に備えられたギアＡ５１と、副カッター軸４の下側に備えられたギアＢ５２とが互いに噛み込む。副カッター軸４の上側にはギアＣ７を備え、主カッター軸２の上部には内ギヤ８１付きの副カッタードラム８が設けられ、副カッター６は副カッタードラム８外側面に設けられ、ギアＣ７は副カッタードラム８の内ギヤ８１と噛み込む。前述主カッター３は三組の切り刃を積み重ねた切り刃組であり、その切り刃と中穴の円板又は四角の板との間の夾角はαであり、各々の切り刃の夾角は互いに等しくない。前記切り刃３の少なくとも一側はのこぎりの歯状３１である。前記副カッター６は長円弧状である。利用する時、切削カッター全体はジュースコップ座９に据付けられる。主カッター軸２の下側には軸継ぎ手１０が備わり、それで電機１１（図４参照）に接続できる。
【００２２】
明らかなのは、前述主カッター３は穴付きの円板として設計でき、円板外円は外向きに少なくとも三つの切り刃が伸びて、切り刃は上向きに曲がり、円板の平面の延長線とある角度αを示す。各々の切り刃と円板の平面の延長線との間の夾角αは互いに等しくない構成である。
【００２３】
本実用新型への改進案として、前述伝動機構５は、主カッター軸２の下側に備えられ、外エッジにマグネットブロックＡが嵌め込まれた伝動輪Ａと、副カッター軸の下側に備えられ、外エッジに前記マグネットブロックＡと極性が逆であるマグネットブロックＢが嵌め込まれた伝動輪Ｂとを、磁力によって逆方向に回転させるように設計できる。
【００２４】
伝動機構５へのもう一つ改進案として、主カッター軸の下側に備えられた伝動輪Ａの外エッジをカバーするゴム層Ａと、前記副カッター軸の下側に備えられた伝動輪Ｂの外エッジをカバーするゴム層Ｂとが接触する構成であるように設計できる。
【００２５】
図４を参照しながら説明すると、図４は図１に示した実施例の利用状態を示す略図である。図から見えるのは、切削カッター全体は果実絞り器台座９に所在して、電機１１は軸継ぎ手１０により切削カッターの主カッター軸と接続して、果実絞り器台座９にはジュースコップ１２を備え、主カッター３及び副カッター６はジュースコップ１２の下側に所在する。
【符号の説明】
【００２６】
次の実施方式を明らかに説明するため、本実施例の図号の統一な説明を行う：
1  軸座、2  主カッター軸、3  主カッター、31  のこぎりの歯状、4  副カッター軸、5  伝動機構、5 1  ギアA、52  ギアB、6  副カッター、7  ギアC、8  副カッタードラム、81  内ギヤ、9  果実絞り器台座、10  軸継ぎ手、11  電機、12  ジュースコップ
【図１】
0003151531.tif 000003
【図２】
0003151531.tif 000004
【図３】
0003151531.tif 000005
【図４】
0003151531.tif 000006